(57)【特許請求の範囲】
【請求項１】
防水下地の上に敷設した板状の断熱部材に沿って設けられる防水シートを、前記防水下地に固定する防水シート固定具であって、
前記断熱部材に挿入された状態で前記防水下地に固定される第１部材と、
前記第１部材の上端部に対して前記防水下地に直交する軸芯周りに相対回転自在に連結されると共に、前記断熱部材の上面に沿って配置されて前記防水シートが固定される第２部材とを備え、
前記第１部材は、前記第１部材を前記防水下地に固定するネジ部材を挿通可能な筒状部材で構成してあり、
前記第１部材の筒内部の下端部に、前記ネジ部材の拡径頭部をネジ軸芯周りに回転自在に受け止めるネジ支持部が設けてあり、
前記第１部材は、前記第１部材の筒内部に挿入した前記ネジ部材の螺進によって前記断熱部材内に進入させられるように構成され、且つ、前記第１部材と前記ネジ部材との供回りを防止する供回り防止手段が設けてあり、
前記供回り防止手段は、前記第１部材の外周部から径方向外側に向かって突出する状態に設けられた翼部であり、
前記翼部は、前記第１部材を前記防水下地へ取り付けた状態において、前記防水下地に当接するように形成してある防水シート固定具。
【請求項２】
前記第１部材の下端部は、下端側ほど小径となる砲弾形状に形成してあり、前記翼部は、砲弾形状部分の外周部に設けてある請求項１に記載の防水シート固定具。
【請求項３】
前記翼部は、前記第１部材の周方向に間隔をあけた複数個所に形成してある請求項１又は２に記載の防水シート固定具。
【発明の詳細な説明】
【技術分野】
【０００１】
本発明は、防水下地の上に敷設した板状の断熱部材に沿って設けられる防水シートを、前記防水下地に固定する防水シート固定具に関する。
【背景技術】
【０００２】
従来、この種の防水シート固定具としては、防水下地の上に敷設した板状の断熱部材に上方から挿入された状態で防水下地に固定される第１部材と、断熱部材の上面に沿って配置される防水シートを固定すると共に、第１部材の上端部に対して係合自在な第２部材とを備えたものがあった（例えば、特許文献１参照）。
【０００３】
第１部材は、第１部材を防水下地に固定する金属製のネジ部材を挿通可能な合成樹脂製の筒状部材で構成してあり、その筒内部の下端部に、ネジ部材の拡径頭部をネジ軸芯周りに回転自在に受け止めるネジ支持部が設けてある。また、筒外部の上端部は、拡径頭部として形成してある。
第２部材は、中央部に第１部材を挿通自在な挿通孔を形成した円板状部材で構成してあり、挿通孔の周囲は、第１部材の拡径頭部が納まる座繰り部として構成してある。
【０００４】
従って、第２部材の座繰り部に、第１部材の拡径頭部が重なることで両者は係合でき、、例えば、第２部材に上向きの力が作用しても、第１部材が防水下地に固定されてさえいれば、両者の係合力によって第２部材の浮き上がりを阻止することができる。
因みに、第２部材に作用する上向きの力は、例えば、第２部材に固定された防水シートが、風等によって揚力を受けた場合に作用する。
【先行技術文献】
【特許文献】
【０００５】
【特許文献１】特開平６−１３６８９２号公報（図１）
【発明の概要】
【発明が解決しようとする課題】
【０００６】
上述した従来の防水シート固定具を、防水下地に取り付ける方法の一例としては、断熱部材に第１部材を挿入する為の挿通穴を予め形成しておき、その上に円板状の第２部材を置いた状態で、第２部材の挿通孔を通して第１部材を断熱部材の挿通穴に挿入し、第１部材の筒内部にネジ部材を挿通して締め込むことで防水下地に固定する方法が例として挙げられる。
この設置方法によれば、断熱部材に予め挿通孔を形成しておく工程と、挿通孔に第１部材を建て込んでネジ部材で防水下地に締結する工程との二工程に分かれ、設置作業に手間がかかり易かった。
【０００７】
そこで、この方法の設置手間の軽減を図るために、ネジ部材を予め第１部材に挿通しておき、そのままネジ部材を断熱部材から防水下地に向けて螺進させることで、第１部材とネジ部材とを一工程で断熱部材の中へ進入させながら防水下地に固定する設置方法が考えられる。
【０００８】
しかし、この設置方法を採用した場合、ネジ部材の螺進に伴って、その拡径頭部と、拡径頭部を回転自在に受け止める第１部材のネジ支持部との間に大きな摩擦力が作用し、その摩擦熱によって樹脂製の第１部材が変形したり変質してしまう虞がある。
従って、この設置方法では安定した状態に設置することが困難となり、結果的には、手間が掛かっても、上述の二工程に分かれた設置方法を採用せざるを得ない。
【０００９】
次に、第１部材とネジ部材とを一工程で断熱部材に進入させる上述の設置方法によって、ネジ部材とネジ支持部との間に大きな摩擦力が作用し易くなることに関して説明する。
即ち、第１部材は、ネジ部材を回転させることで、互いの当接面間に作用する静止摩擦力によって、一緒に回転しようとする。また、それと同時に、第１部材は、断熱部材との当接面間に作用する動摩擦力によって回転が阻止される。
そして、これらの静止摩擦力と動摩擦力との大小関係が変化するに伴って、第１部材は、回転と停止とを繰り返すような動きとなることがある。
このような状況下においては、ネジ部材とネジ支持部との両当接面間には、最大静止摩擦力が頻繁に作用することになる。
【００１０】
静止摩擦力と動摩擦力とは、次のような関係式が成り立ち、
静止摩擦力（Ｆ）＝静止摩擦係数（μ）×垂直抗力（Ｎ）
動摩擦力（Ｆ’）＝動摩擦係数（μ’）×垂直抗力（Ｎ）
一般的には、当接面間どうしが面に沿ってずれる直前に、最大静止摩擦力が作用し、この値は、動摩擦力よりも大きな値となる。また、摩擦力が大きいほど、発生する摩擦熱量も大きくなる。
【００１１】
よって、ネジ部材とネジ支持部との両当接面間は、繰り返し作用する最大静止摩擦力による大きな摩擦熱に曝されることになり、第１部材の合成樹脂部分が溶融し、変形したり変質することになる。
【００１２】
従って、本発明の目的は、上記問題点を解消し、設置手間の軽減を図れながら、第１部材のネジ支持部とネジ部材との両当接面間に最大静止摩擦力が発生するのを抑制できる防水シート固定具を提供するところにある。
【課題を解決するための手段】
【００１３】
本発明の特徴は、防水下地の上に敷設した板状の断熱部材に沿って設けられる防水シートを、前記防水下地に固定する防水シート固定具であって、前記断熱部材に挿入された状態で前記防水下地に固定される第１部材と、前記第１部材の上端部に対して前記防水下地に直交する軸芯周りに相対回転自在に連結されると共に、前記断熱部材の上面に沿って配置されて前記防水シートが固定される第２部材とを備え、前記第１部材は、前記第１部材を前記防水下地に固定するネジ部材を挿通可能な筒状部材で構成してあり、前記第１部材の筒内部の下端部に、前記ネジ部材の拡径頭部をネジ軸芯周りに回転自在に受け止めるネジ支持部が設けてあり、前記第１部材は、前記第１部材の筒内部に挿入した前記ネジ部材の螺進によって前記断熱部材内に進入させられるように構成され、且つ、前記第１部材と前記ネジ部材との供回りを防止する供回り防止手段が設けてあり、前記供回り防止手段は、前記第１部材の外周部から径方向外側に向かって突出する状態に設けられた翼部であり、前記翼部は、前記第１部材を前記防水下地へ取り付けた状態において、前記防水下地に当接するように形成してあるところにある。
【００１４】
本発明によれば、ネジ部材を第１部材の筒内部に挿入して螺進させ、ネジ部材と第１部材とを一緒に断熱部材内に進入させて、防水下地に固定することができる。
また、供回り防止手段を設けてあるから、ネジ部材と第１部材とを断熱部材内に進入させる際、第１部材とネジ部材との供回りを防止できる。即ち、ネジ部材を螺進させても、第１部材は回転しない状態で断熱部材内に進入させることができる。
【００１５】
従って、ネジ部材の螺進中においては、第１部材のネジ支持部とネジ部材の拡径頭部との当接面間には動摩擦力が作用し続けることになる。よって、大きな摩擦熱を伴う最大静止摩擦力が、ネジ支持部とネジ部材との両当接面間に作用することを抑制できる。
以上の結果、第１部材とネジ部材とを一工程で断熱部材に進入させて設置する能率的な設置方法を採用できながら、ネジ部材とネジ支持部との当接面間に発生する摩擦熱を抑制でき、第１部材が熱で変形したり変質しない状態に設置できるようになる。
【００１６】
【００１７】
また、本構成によれば、第１部材に翼部を設けたことによって、断熱部材の中へ第１部材が進入した状態での互いの当接面積を、より大きく確保することができる。
断面部材に対する第１部材の当接面積をより大きく確保できると、互いの当接面間に作用する抗力や摩擦力等も大きくなり、それらの力が、第１部材の回転に対する抵抗力となり、ネジ部材との供回りを、より強力に防止することができる。
【００１８】
更には、翼部は、第１部材の外周部から径方向外側に向かって突出する状態に設けられているから、回転に対する抵抗モーメントを、翼部によって最大限に確保することができ、より確実に、供回りを防止することができる。
その結果、ネジ部材の螺進に伴って、第１部材とネジ部材との間には、動摩擦力は作用するものの、最大静止摩擦力は作用し難くなる。
【００１９】
本発明においては、前記第１部材の下端部は、下端側ほど小径となる砲弾形状に形成してあり、前記翼部は、砲弾形状部分の外周部に設けてあると好適である。
【００２０】
本構成によれば、第１部材の下端部を砲弾形状に形成してあるから、第１部材とネジ部材とを断熱部材に進入させる時に作用する先端抵抗を少なくでき、よりスムーズに進入させることができる。
また、翼部を砲弾形状部分の外周部に設けてあるから、小径の部分を有効に利用して翼部を設けることができ、第１部材が必要以上に大径化するのを防止できる。そして、翼部は第１部材の下端側に位置するから、第１部材を断熱部材に進入させる初期の段階から、翼部が断熱部材中に進入して供回り防止作用を発揮させることができる。
【００２１】
本発明においては、前記翼部は、前記第１部材の周方向に間隔をあけた複数個所に形成してあると好適である。
【００２２】
本構成によれば、第１部材の周方向に間隔をあけた複数個所にそれぞれ翼部を設けてあるから、一個所のみに設けてあるものに比べて、より高い供回り防止力を発揮することができる。
また、一個所のみに翼部を設けてあるものに比べて、複数の翼部それぞれをコンパクトに形成しても同様の供回り防止力を発揮することが可能であるから、第１部材全体として嵩張らないように設計できる。その結果、ネジ部材と共に断熱部材に進入させる時の抵抗を少なくでき、スムースに設置することができるようになる。
【００２３】
また、第１部材を防水下地へ取り付けた状態においては、翼部が防水下地に当接しているから、第１部材の設置姿勢が安定したものとなる。即ち、当該防水シート固定具そのものを安定した状態に設置することができる。
【図面の簡単な説明】
【００２４】
【図１】防水シート固定具の設置状況を示す一部切欠斜視図である。
【図２】防水シート固定具の分解斜視図である。
【図３】防水シート固定具の設置状況を示す断面図である。
【図４】防水シート固定具の設置状況を示す断面図である。
【図５】防水シート固定具の作用状況を示す断面図である。
【図６】別実施形態の防水シート固定具の設置状況を示す断面図である。
【図７】別実施形態の防水シート固定具の設置状況を示す断面図である。
【図８】別実施形態の防水シート固定具の要部を示す斜視図である。
【図９】別実施形態の防水シート固定具の要部を示す斜視図である。
【発明を実施するための形態】
【００２５】
以下に本発明の実施の形態を図面に基づいて説明する。
【００２６】
図１は、本発明の防水シート固定具の一実施形態品（以後、単にシート固定具という）Ｐを使用して、屋根下地（防水下地の一例）１の上の断熱板（断熱部材の一例）１４に沿って設けられた防水シート２を固定している状況を示している。
【００２７】
屋根下地１は、折半屋根等の金属製屋根で構成してあり、その上に、発泡樹脂製の断熱板１４が配設され、屋根の断熱化が図られている。
【００２８】
防水シート２は、例えば、塩化ビニル系等の合成樹脂製シートで構成されている。
【００２９】
シート固定具Ｐは、図２、図３に示すように、外形形状が円板状に形成してあり、屋根下地１の上に、横間隔をあけて点在させてあり、それぞれは、ネジ部材３で屋根下地１に固定されている。
また、シート固定具Ｐの上面には、屋根一面に配置される防水シート２の下面が接着される。
【００３０】
シート固定具Ｐは、図２に示すように、断熱板１４に挿入された状態で屋根下地１に固定自在な第１部材Ｐ１を設け、第１部材Ｐ１の上端部に対して連結されると共に、断熱板１４の上面に沿って配置されて防水シート２が固定される第２部材Ｐ２とを備えて構成してある。
また、第１部材Ｐ１と第２部材Ｐ２とは、屋根下地１に直交する方向（当該実施形態では上下方向）に沿う軸芯（ネジ軸芯に相当）Ｘ周りに相対回転自在に連結されている。
【００３１】
第１部材Ｐ１は、本体部分を、筒部材（筒状部材に相当）１８によって形成してあり（図２参照）、且つ、断熱板１４を上下に貫通する状態に設置できるように構成されている。また、第１部材Ｐ１は、筒部材１８の筒内部に挿通させたネジ部材３を屋根下地１に螺進させることで固定できるように構成されている。
筒部材１８は、設置された状態で断熱板１４より上方に位置する金属筒部１８Ａと、その金属筒部１８Ａに上端が内嵌して下方に延びる樹脂筒部１８Ｂとを備えて構成してある。
【００３２】
金属筒部１８Ａは、金属によって構成してあることで、高い強度や耐摩耗性を期待することができ、第２部材Ｐ２との当接部分やその近傍での部材の変形や消耗等を防止し易い。樹脂筒部１８Ｂは、合成樹脂によって構成してあることで、金属よりも熱伝導率が低い特徴を生かして、屋根上と屋根下地１との間のヒートパスの抑制効果を期待できる（図３参照）。その結果、屋根下地１下方側における空調効率の低下防止を図れるようになる。
また、金属筒部１８Ａと樹脂筒部１８Ｂとは、軸芯Ｘ周りに相対回転しない状態に一体に組み付けられている。
【００３３】
金属筒部１８Ａは、上端部が、後述する第２部材Ｐ２の座繰り部１６上に当接自在な上縁鍔部１７として構成してある。また上縁鍔部に隣接して、下端側に二箇所の段差部１９が設けられている（図３参照）。
【００３４】
上端側の段差部１９ａには、金属リング部材２０が外嵌させてある。この構成により、第１部材Ｐ１に対して第２部材Ｐ２が、軸芯Ｘ周りに回転する際に、第２部材Ｐ２の座繰り部１６の内周縁部を、金属リング部材２０の僅かな外周面で摺接支持することで、低摩擦状態で滑らかに回転を許容しながら偏心防止を図ることが可能となっている。
【００３５】
下端側の段差部１９ｂには、合成樹脂製の環状板１３が外嵌させてある。
この環状板１３を設けてあることで、第１部材Ｐ１と第２部材Ｐ２との外れ止めとなるほか、断熱板１４の表面に付着物等による突起があっても、その突起の上に環状板１３が乗り上げた状態に位置するから、突起と第２部材Ｐ２とが直接的に当接して回転の障害になるのを防止できる。
【００３６】
尚、環状板１３は、図２、図３に示す例では、その外径寸法を、第２部材Ｐ２の外径より僅かに小さく設定してある。
また、図６に示すように、環状板１３の外径寸法を、第２部材Ｐ２の外径寸法以上に設定してあってもよい。この場合は、第２部材Ｐ２の全域を、環状板１３によって保護することができ、第１部材Ｐ１に対する第２部材Ｐ２の軸芯Ｘ周りの回転をスムーズにサポートすることができる。
この環状板１３の上面を滑らかに仕上げておくことで、上に重なる第２部材Ｐ２との摩擦抵抗を低減することができ、第２部材Ｐ２の回転を、よりスムーズにサポートできるようになる。環状板１３の素材としては、合成樹脂製をはじめ、金属製であってもよい。
【００３７】
樹脂筒部１８Ｂは、筒上端から筒内部にネジ部材３の一例である皿ビスを挿通させて締め付けることで、筒底部（ネジ支持部に相当）４がネジ部材３の拡径頭部３ａの下面と屋根下地１とに挟まれる状態となって固定できるように構成されている。
ネジ部材３と樹脂筒部１８Ｂとの関係は、筒底部４の上面にネジ部材の拡径頭部３ａの下面が当接した状態では、ネジ部材３は、軸芯Ｘ周りに回転自在な状態で筒底部４に支持されている。
【００３８】
因みに、筒底部４の上面４ａは、ネジ部材３の拡径頭部３ａの下面３ｂの皿形状に沿うように、すり鉢形状に形成してあると共に、ネジ部材３の螺進時に作用する摩擦力を低減できるように、滑らかに仕上げてある（図３参照）。
【００３９】
また、樹脂筒部１８Ｂの外形は、筒の上下中間部から下端部にかけて、下端側ほど小径となる砲弾形状に形成してある。更には、その砲弾形状部１８Ｂａの外周部には、筒長手方向に沿うと共に径方向外側に向かって突出する翼部（供回り防止手段Ｔの一例）１８Ｂｂが、周方向に間隔をあけて複数設けてある。当該実施形態においては、周方向に等間隔で三箇所に設けてある。
【００４０】
ネジ部材３を屋根下地１に向けて螺進させるに伴って、図４、図５に示すように、ネジ部材３の前記下面３ｂの当接力が筒底部４の前記上面４ａに伝わり、第１部材Ｐ１が、樹脂筒部１８Ｂの下端部から断熱板１４に食い込みながら進入する。その際、砲弾形状部１８Ｂａが設けてあるから先端抵抗の少ない状態で進入させることができる。また、翼部１８Ｂｂが設けてあるから、第１部材Ｐ１がネジ部材３の回転に伴って軸芯Ｘ周りに供回りしようとするのを、断熱板１４に食い込んだ翼部１８Ｂｂの回転阻止力によって防止することができる。更には、翼部１８Ｂｂの誘導作用によって、第１部材Ｐ１を軸芯Ｘ方向に真直ぐの状態で断熱板１４内に進入させることができる。
【００４１】
このように、ネジ部材３を螺進させても、第１部材Ｐ１は回転しないから、筒底部４の上面４ａの上で、ネジ部材３は、回転自在に支持されながら屋根下地１に進入していく。
よって、拡径頭部３ａの下面３ｂと、前記上面４ａとの間には動摩擦力が作用するだけで、摩擦熱量が大きな最大静止摩擦力が作用するのを未然に防止することができる。従って、発生熱で樹脂筒部１８Ｂが熱変形したり熱変質するのを防止し易くなる。
当該実施形態においては、前記翼部１８Ｂｂによって、供回り防止手段Ｔが構成されている。
【００４２】
第２部材Ｐ２は、図２に示すように、平面視中央部に円形穴１５を備えた環状板として構成してあり、その円形穴１５に面する内周縁部は、第１部材Ｐ１の上縁鍔部１７を回転自在に支持する座繰り部１６として一段低く形成してある。
第２部材Ｐ２の外周部は、屋根下地１側へ屈曲させてある。
第２部材Ｐ２の上面部は、防水シート２を接着するための接着部９として構成されている。
具体的な接着部９の一例を示すと、ポリエステル系、エチレン酢酸ビニル系、合成ゴム系、オレフィン系等の接着剤からなるホットメルト接着層によって構成することができる。このホットメルト接着層としては、融点が７０〜１６０℃のものが施工的に好ましい。
【００４３】
接着部９をホットメルト接着層で構成する場合は、上に防水シート２を配置した状態で、その上から電磁誘導加熱装置等によって第２部材Ｐ２を加熱してホットメルト接着層を溶融させることで防水シート２を第２部材Ｐ２に接着することができる。
【００４４】
次に、当該シート固定具Ｐを使用した防水シート２の設置について説明する。
［１］屋根下地１の上に、断熱板１４を敷設しておく。
【００４５】
［２］第１部材Ｐ１と第２部材Ｐ２とが一体に組み付けられた当該シート固定具Ｐを、断熱板１４上の所定位置に直立状態に配置して、筒内部にネジ部材３を使用して屋根下地１に固定する。
その際、第１部材Ｐ１の筒上端から筒内部にネジ部材３を挿通させて締め付ける。
ネジ部材３は、断熱板１４内を下降し、屋根下地１に食い込んで更に下降する。
螺進を進めると、やがて拡径頭部３ａが筒底部４に当接して、シート固定具Ｐを断熱板１４内に食い込ませる（図４参照）。
筒底部４が屋根下地１に達するまでネジ部材３を螺進させるとシート固定具Ｐの設置が完了する（図５参照）。
【００４６】
［３］同様に、他の箇所にもシート固定具Ｐを設置する。
【００４７】
［４］各シート固定具Ｐの上から防水シート２を被せ、防水シート２の上方から、電磁誘導加熱装置等によってシート固定具Ｐの第２部材Ｐ２を加熱することで接着部９のホットメルト接着層を溶融させて接着固定する（図３参照）。
【００４８】
以上のような防水シート固定状態においては、屋根下地１に固定された第１部材Ｐ１に対して、第２部材Ｐ２が軸芯Ｘ周りに回転自在であるから、例えば、風の揚力で防水シート２が持ち上げられて波立つような場合でも、シート固定具Ｐにおける第２部材Ｐ２の回転によって、防水シート２の動きに追従して無理なく支持することができる（図３参照）。また、第２部材Ｐ２に作用する回転力は、第１部材Ｐ１や、それを固定しているネジ部材３に伝わり難いから、ネジ部材３を緩ませることも未然に防止できる。
【００４９】
また、当該実施形態のシート固定具Ｐによれば、第１部材Ｐ１とネジ部材３とを一工程で断熱板１４に進入させて設置する能率的な設置方法を採用できながら、ネジ部材３の回転に伴う第１部材Ｐ１の供回りを防止して、互いの当接面間に最大静止摩擦力が作用するのを回避した状態で設置することが可能となる。
従って、当該シート固定具Ｐを安定した状態に、且つ、効率的に設置することができる。
【００５０】
〔別実施形態〕
〈１〉  屋根下地１は、先の実施形態で説明した屋根下地に限るものではなく、例えば、傾斜屋根や、壁等であってもよく、また、それらの構造は、例えば、木造や、鉄骨、デッキプレート等、特に限定されるものではない。
【００５１】
〈２〉  防水シート２は、先の実施形態で説明した塩化ビニル系等の合成樹脂製シート材に限るものではなく、公知の他の材料を使用したものであってもよい。
【００５２】
〈３〉  接着部９は、先の実施形態で説明したホットメルト接着層で構成することに限るものではなく、公知の他の接着材で構成するものであってもよい。
【００５３】
〈４〉  第１部材Ｐ１と第２部材Ｐ２との軸芯Ｘ周りに回転自在な連結機構は、先の実施形態で説明したものに限るものではなく、例えば、ベアリング等を介在させたものであってもよい。
【００５４】
〈５〉  第１部材Ｐ１、第２部材Ｐ２は、先の実施形態で説明した第１部材、第２部材に限るものではなく、形状や寸法等は、適宜、変更することが可能である。
例えば、図７に示すように、第１部材Ｐ１は、設置状態で下端部が防水下地１に達しない長さ設定のものであってもよい。このように、第１部材Ｐ１と防水下地１との間に間隔を持たせてあることで、例えば、防水シート２の上から防水シート固定具Ｐの設置部の外周側近傍を踏んでも、防水シート２と防水シート固定具Ｐとが共に沈み込むことが許容される。従って、断熱部材１４が厚み方向に変形し易い素材で構成してある様な場合でも、防水シート固定具Ｐによって防水シート２を突き上げてしまうことを防止できる。
【００５５】
〈６〉  供回り防止手段Ｔは、先の実施形態で説明した翼部１８Ｂｂに限るものではなく、例えば、図８に示すように、筒状部材１８の下端面から下方へ突出した複数の突起２１で構成してあってもよい。
また、図９に示すように、筒状部材１８の外周面に、筒長手方向に沿った突条２２を、周方向に間隔をあけて複数設けてあってもよい。
【００５６】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５７】
当該防水シート固定具は、防水シートの新設に限らず、改修工事にも利用することができる。
【符号の説明】
【００５８】
１        屋根下地（防水下地の一例）
２        防水シート
３        ネジ部材
３ａ      拡径頭部
４        筒底部（ネジ支持部に相当）
１４      断熱板（断熱部材の一例）
１８      筒部材（筒状部材に相当）
１８Ｂｂ  翼部（供回り防止手段Ｔの一例）
Ｐ１      第１部材
Ｐ２      第２部材
Ｔ        供回り防止手段
Ｘ        軸芯（ネジ軸芯に相当）
【図１】
0006501478.tif 000002
【図２】
0006501478.tif 000003
【図３】
0006501478.tif 000004
【図４】
0006501478.tif 000005
【図５】
0006501478.tif 000006
【図６】
0006501478.tif 000007
【図７】
0006501478.tif 000008
【図８】
0006501478.tif 000009
【図９】
0006501478.tif 000010